(57)【要約】【課題】本発明は音曲の伴奏部分の音響出力とは別に、歌い手のみに手本となる歌声部分を出力して歌い手を支援する手段を備えたカラオケ装置に関して、従来と同等の簡便さで、かつ必要な時だけ歌い手が手本を聞ける手段を提供することを目的とする。【解決手段】歌い手が手本を聞くための出力用スピーカを、歌声を入力するマイクと一体化したハンドセットとして形成した。ハンドセットは従来マイクを持つのと同等の動作で手に持つことが出来る。ハンドセットを電話機と同様の位置に持って使用すればスピーカとマイクを同時に有効に動作させることが出来る。スピーカは通常の方式の他に骨伝導方式のものも使える。【選択図】図１
2006259650.tif 000002
【特許請求の範囲】
【請求項１】
予め記録されてある伴奏部分の情報を再生して音響として歌い手および聞き手に出力する手段と、マイクから入力された歌い手の歌声を増幅して歌い手および聞き手に向けて出力する手段と、予め記録されてある手本歌声部分または歌声に準ずる主旋律部分の情報を伴奏部分と同期して再生して歌い手のみに聞こえるように出力する手段を備えるカラオケ装置において、前記手本歌声部分の出力装置が前記マイクと一体であり、かつ片手で操作できるハンドセットとして形成されていることを特徴とするカラオケ装置。
【請求項２】
手本歌声部分または歌声に準ずる主旋律部分の出力装置が信号を空気振動に変えるスピーカであることを特徴とする請求項１に記載のカラオケ装置。
【請求項３】
手本歌声部分または歌声に準ずる主旋律部分の出力装置が信号を骨伝導振動に変える骨伝導スピーカであることを特徴とする請求項１に記載のカラオケ装置。
【発明の詳細な説明】
【技術分野】
【０００１】本発明は音曲の伴奏部分を歌い手および聞き手に音響出力し、歌い手がその伴奏に合わせて歌唱する時、伴奏部分とは別に手本となる歌声部分を歌い手のみに出力して、歌い手を支援する手段を備えたカラオケ装置に関する。
【背景技術】
【０００２】従来、歌い手がカラオケで唄う際の手本として使用する歌声音をスピーカから出力して、歌い手を補助するカラオケ装置があった（例えば、特許文献１参照）。また手本とする歌声音を聞き手にも聞こえるスピーカから音響として出力するのではなく、別に歌い手専用のヘッドセットを備えて骨伝導スピーカから出力するカラオケ装置があった。（例えば、特許文献２参照）これにより、正確に覚えてない音曲でも手本を聞きながら歌えるので、カラオケのレパートリーを広げるのに有効としている。【０００３】
【特許文献１】特開平８−１０３０００号公報
【特許文献２】特開２００４−１７０７１７号公報
【発明の開示】
【発明が解決しようとする課題】
【０００４】歌い手が歌おうとする歌曲に十分習熟していない場合、歌い出しのタイミングや音程などがよく分からずうまく歌うことが出来ない。このような場合手本となる歌声部分が聞こえれば歌い手はそれをなぞって歌えるので非常に歌いやすく、上手に歌える。この時手本となるのは歌声で無く、歌声に準ずる主旋律部分であっても同等の効果が期待できる。しかし、いずれの場合でも手本の歌声部分または主旋律部分と歌い手の声が重なって聞き手に聞こえてしまうという問題がある。（以下では「手本の歌声部分または主旋律部分」を単に「手本」と記す。）
これを解決するために歌い手専用のヘッドセットを備えて、さらに該ヘッドセットのスピーカを骨伝導タイプにした場合、一応上記の問題は解決される。しかし歌い手は歌うたびにいちいちヘッドセットを装着し、終わると外さねばならないという問題があって、普通にカラオケで歌う場面では使いにくかった。また歌い手は良く覚えていない箇所や難しい箇所だけで手本を聞ければよいにもかかわらず、ヘッドセットからは常に手本が聞こえてしまい、むしろ習熟を妨げるという問題も有った。
また特許文献２にはヘッドセットでなく、単体の骨伝導スピーカを頭骨に押し当てる方法も開示されているが、この場合マイクとスピーカをそれぞれ持つために両手を使わないといけないという問題があった。【０００５】本発明は普通に複数の人数が参集し交代に歌ってカラオケを楽しむ場合に、歌い手がワイヤレスマイクを片手で持つだけという従来と同等の簡便さで、イヤホンなどを装着する手順が不要であり、かつ必要な時だけ手本を聞ける手段を提供することを目的とする。
【課題を解決するための手段】
【０００６】上記の問題を解決するために、請求項１に係る発明は、予め記録されてある伴奏部分の情報を再生して音響として歌い手および聞き手に出力する手段と、マイクから入力された歌い手の歌声を増幅して歌い手および聞き手に向けて出力する手段と、予め記録されてある手本の情報を伴奏部分と同期して再生して、歌い手のみに聞こえるように出力する手段を備えるカラオケ装置において、前記手本の出力装置が前記マイクと一体であり、かつ片手で操作できるハンドセットとして形成されていることを特徴とするカラオケ装置である。【０００７】請求項２に係る発明は、手本の出力装置が信号を空気振動に変えるスピーカであることを特徴とする請求項１に記載のカラオケ装置である。【０００８】請求項３に係わる発明は、手本の出力装置が信号を骨伝導振動に変える骨伝導スピーカであることを特徴とする請求項１に記載のカラオケ装置である。
【発明の効果】
【０００９】本発明によれば、歌い手は手本を聞きながら歌うことが出来るので、歌おうとする歌曲に十分習熟していない場合でも、歌い手はそれをなぞって歌えるので非常に歌いやすく、上手に歌える。
また歌い手が特別な装置を装着するなどの手順が不要で、従来広く普及しているワイヤレスマイクを持って歌うだけという動作と同等の簡便さで手本を聞くことができる。
また曲の全部にわたることなく、必要な箇所だけを選んで手本を聞くことができるので、より早く音曲に習熟できる。
【発明を実施するための最良の形態】
【００１０】本発明のカラオケ装置においては、予め記録されてある伴奏部分の情報を再生して音響として歌い手および聞き手に出力する手段と、マイクから入力された歌い手の歌声を増幅して歌い手および聞き手に向けて出力する手段と、予め記録されてある手本の情報を伴奏部分と同期して再生して、歌い手のみに聞こえるように出力する手段を備えている。
本発明の要点は、手本を聞くための出力装置を、歌声を入力するマイクと一体化し、かつ片手で操作できるハンドセットとして形成した点にある。ハンドセットは従来マイクを持つのと同等の動作で手に持つことが出来る。異なる点は、従来は歌い手がマイクを口の前に構えるのに対して本発明のハンドセットは電話機を使うのと同様の顔の横位置に構えることである。ハンドセットを電話機と同様の位置に持って使用すればスピーカとマイクを同時に有効に動作させることが出来る。
手本を聞きたければスピーカが有効になる位置に構えればよい。手本を聞きたくなければスピーカの位置を少しずらせばよい。これはわずかな手の動きで瞬時に、間単に実行できる。
【実施例】
【００１１】以下に図１、図２、図３を用いて本発明の第１の実施例を説明する。
まず構成を説明する。図１は本発明のカラオケ装置の構成を示す図である。本発明のカラオケ装置には音曲の伴奏部分と手本部分を記録した音源１と、音源１からの情報を音響信号に変換する再生装置２、再生装置２の伴奏部分出力ａを増幅するアンプ３、アンプ３の出力を空気振動に変換するスピーカ４を備えて、予め記録されてある伴奏部分の情報を再生して音響として歌い手および聞き手に出力する手段を構成している。
音源１はテープ、ＣＤ、ＨＤＤなどの記録装置である。記録装置は本発明の本質にかかわらないのでどのような装置でも良い。記録された情報は音曲の音響を適切な方法で符号化したものである。符号化手法は本発明の本質にかかわらないのでどのような方法でもよい。アンプ３は２つの入力端子を備えており、他の１つは次に述べる歌い手の音声用に使われる。【００１２】またハンドセット１００の内部にマイク１０３とマイク１０３からの信号をアンプに送るための無線送信機１０４とを備え、その無線信号を受信する無線受信機６と無線受信機６の出力である歌い手の歌声信号を前記伴奏部分の音響信号とミックスして増幅する前記と共通のアンプ３とアンプ３の出力を空気振動に変換する前記と共通のスピーカ４を備えて、マイクから入力された歌い手の歌声を増幅して歌い手および聞き手に向けて出力する手段を構成している。
無線装置は微弱電波または光を利用した装置である。どちらであっても本発明の本質にかかわらない。【００１３】また前記と共通の音源１と、音源１からの情報を音響信号に変換する前記と共通の再生装置２、再生装置２の手本部分出力ｂを無線信号として送り出す無線送信機５、その無線信号を受信する無線受信機１０２と、無線受信機１０２の出力を歌い手に向けて出力するスピーカ１０１の２つをハンドセット１００の内部に備えて、手本部分の情報を伴奏部分と同期して再生して、歌い手のみに聞こえるように出力する手段を構成している。
スピーカ１０１は音響信号を空気振動に変換するスピーカ、または音響信号を骨伝導振動に変換する骨伝導スピーカである。【００１４】図３はハンドセット１００の外観図である。ハンドセットの上部にはスピーカ１０１が、下部にはマイク１０３が備えられており、内部には無線受信機１０２と無線送信機１０４を備えており、それぞれがケースに取り付けられて一体となるように形成されている。またハンドセットは片手で持ちやすい大きさ、形状としてある。
図２は歌い手がハンドセット１００を顔の横に構えている様子を示している。歌い手は片手でハンドセットを保持しているが、図２では手は省略している。歌い手はハンドセット１００のスピーカ１０１を耳またはその近傍に位置させ、同時にマイク１０３を口の近傍に位置させる。
ハンドセットは図３に示すとおりの形状で有る必要は無く、要するに片手で持ちやすく、スピーカとマイクが歌い手の耳近傍と口近傍に同時に近付くような位置関係に配置されていれば良い。他の実施例としては取っ手型でもよい。【００１５】次に本実施例の動作を説明する。音源１には複数の音曲の音響信号を符号化した情報として記録してある。図１の構成図では省略してある選択装置によって１つの音曲が歌い手のリクエストによって選ばれて、その曲の情報が時間経過に沿って順次再生装置２に渡される。情報は再生装置２で音響信号に変換されるとともに伴奏部分と手本部分に分離されて別々に出力される。この時、伴奏部分と手本部分は時間的に同期して出力される。伴奏部分出力ａはアンプ３によって増幅されてスピーカ４によって空気振動に変換される。その音響を歌い手および聞き手が聞く。【００１６】歌い手がマイク１０３に向かって歌うと、その声はマイク１０３によって電気信号に変換されて無線送信機１０４に渡される。無線送信機１０４の無線信号は無線受信機６によって受信されてアンプ３に渡される。アンプ３では前述の伴奏部分出力ａの信号と歌い手の音声信号をミックスして増幅する。歌い手の歌声は伴奏部分と重なって歌い手と聞き手の耳に届く。【００１７】一方、伴奏部分と分離された手本部分出力ｂは無線送信機５と無線受信機１０２を介してスピーカ１０１に渡される。スピーカ１０１が通常の空気振動版を備えたスピーカの場合、信号は空気振動に変換される。歌い手が手本部分を聞きたければスピーカ１０１を耳に当てればよい。聞きたくなければ耳から少しずらして顔の表面でスピーカをふさげば良いので曲の途中でも簡単に手本部分を聞いたり、また聞かなかったり出来る。したがって曲の全部にわたることなく、必要な箇所だけを選んで手本を聞くことが出来る。マイク１０３を口の近傍に維持したままスピーカを少しずらす動作は瞬時に、容易にできる。【００１８】スピーカ１０１が骨伝導方式の場合、歌い手はハンドセットのスピーカ１０１の部分を顔の耳の近くまたは頬骨などに当てるとスピーカ１０１によって骨伝導振動に変換された振動を頭蓋骨を介して音響として聞くことができる。骨伝導方式であればスピーカ１０１を顔から離せば手本部分の音は聞こえなくなるので曲の途中でも簡単に手本部分を聞いたり、また聞かなかったり出来る。したがって曲の全部にわたることなく、必要な箇所だけを選んで手本を聞くことが出来る。マイク１０３を口の近傍に維持したままスピーカを少し離す動作は容易である。また骨伝導スピーカは空気振動を発生しないので音響が外に漏れず、歌い手以外の聞き手に伴奏部分が聞こえることが無いという利点がある。
またハンドセットに備えた図示していないスイッチによって無線受信機１０２の出力をスピーカ１０１に送るか、送らないかを切替できる。手本部分を聞く必要が無い場合はスイッチをオフにして伴奏部分を聞かないモードを手元で選ぶことが可能である。この操作も片手で簡便に行える。【００１９】次に第２の実施例として、いわゆるマイクカラオケ装置に本発明を適用した例について説明する。図４に示す如く音源１、再生装置２と歌い手用スピーカ１０１、マイク１０３、プリアンプ７を一体化してハンドセットＢ２００として構成する。プリアンプ７は２つの入力端子を備えており、１つは伴奏部分用に、他の１つは歌い手の音声用に使われる。
アンプ３とスピーカ４はテレビ８の一部である。
ハンドセットＢ２００は図３に示すハンドセット１００と同様に上部にはスピーカ１０１が、下部にはマイク１０３が備えられており、歌い手が顔の横に構えた時、それぞれが耳と口の近傍に位置するように配置されている。ハンドセットＢ２００には歌曲の選択装置が設けられているが説明を省略する。【００２０】図４において音源１と、音源１からの情報を音響信号に変換する再生装置２、再生装置２の伴奏部分出力ａを増幅するプリアンプ７、アンプ３、アンプ３の出力を空気振動に変換するスピーカ４を備えて、予め記録されてある伴奏部分の情報を再生して音響として歌い手および聞き手に出力する手段を構成している。【００２１】またマイク１０３と歌い手の歌声信号を前記伴奏部分出力ａとミックスして増幅する前記と共通のプリアンプ７と、プリアンプ７の出力を増幅する前記と共通のアンプ３、アンプ３の出力を空気振動に変換する前記と共通のスピーカ４を備えて、マイクから入力された歌い手の歌声を増幅して歌い手および聞き手に向けて出力する手段を構成している。【００２２】また前記と共通の音源１と、音源１からの情報を音響信号に変換する前記と共通の再生装置２、再生装置２の手本部分出力ｂを歌い手に向けて出力するスピーカ１０１を備えて、手本部分の情報を伴奏部分と同期して再生して、歌い手のみに聞こえるように出力する手段を構成している。
スピーカ１０１は音響信号を空気振動に変換するスピーカ、または音響信号を骨伝導振動に変換する骨伝導スピーカである。【００２３】第２の実施例の動作は信号伝送の途中に無線送受信機が無いだけで実施例１と同様である。すなわち音源１には複数の音曲の音響信号を符号化して記録してある。図４の構成図では省略してあるハンドセットＢ２００上の選択装置によって１つの音曲を歌い手が選ぶと、その曲の符号情報が時間経過に沿って順次再生装置２に渡される。符号情報は再生装置２で音響信号に変換されるとともに伴奏部分出力ａと手本部分出力ｂに分離されて別々に出力される。この時、伴奏部分と手本部分は時間的に同期して出力される。伴奏部分の音響信号はプリアンプ７によって増幅されて、ハンドセットＢ２００とは離れたテレビ装置８のアンプを３を介してスピーカ４によって空気振動に変換される。その音響を歌い手および聞き手の耳に届く。【００２４】歌い手がマイク１０３に向かって歌うと、その歌声は電気信号に変換されてプリアンプ７によって伴奏部分出力ａとミックスされる。歌い手の歌声と伴奏部分はアンプ３とスピーカ４を介して、重なって歌い手と聞き手の耳に届く。【００２５】一方、伴奏部分と分離された手本部分出力ｂはスピーカ１０１に渡される。スピーカ１０１が通常の空気振動版を備えたスピーカの場合、信号は空気振動に変換されて歌い手が聞くことが出来る。【００２６】スピーカ１０１が骨伝導方式の場合、歌い手がハンドセットＢ２００のスピーカ１０１の部分を顔の耳の近くまたは頬骨などに当てるとスピーカ１０１によって骨伝導振動に変換された振動を頭蓋骨を介して音響として聞くことができる。【００２７】以上述べた如く第１の実施例、第２の実施例においてカラオケ装置全体としての本質的な構成と動作は同じであり、装置を構成する各要素をつなぐ信号伝送のありかた、また各要素のどれとどれを一体の構造に形成するかという差があるだけである。従って本発明の効果に差は無い。【００２８】ここに説明した実施例では音源１はカラオケ装置に含まれているが、音源を遠隔地のサーバーに置いて通信回線で伝送しても良い。
また実施例１では歌い手の歌声信号と手本の信号はハンドセットに無線で送受しているが、もちろん有線であっても良い。
カラオケ装置は音声だけでなく背景映像をディスプレーに出力する手段を有しているものが多く実用されているが、その場合でも本発明の効果にはなんら影響するものではないので説明を省いた。
以上に例示したようなバリエーションは本発明の効果を減殺するものでは無い。
【産業上の利用可能性】
【００２９】本発明のカラオケ装置を使えばよく覚えていない曲目でも歌うことが出来る。また新しい曲を覚えるにも効果的である。したがって全体としてカラオケを利用する層およびカラオケを利用する機会が増加することが期待できる。
【図面の簡単な説明】
【００３０】
【図１】第１の実施例のカラオケ装置の構成図
【図２】ハンドセットを顔の横に保持する様子を示す図
【図３】ハンドセットの外形図
【図４】第２の実施例のカラオケ装置の構成図
【符号の説明】
【００３０】１  音源
２  再生機
３  アンプ
４  スピーカ
５  無線送信機
６  無線受信機
７  プリアンプ
８  テレビ
１００  ハンドセット
１０１  スピーカ
１０２  無線受信機
１０３  マイク
１０４  無線送信機
２００  ハンドセットＢ
ａ  伴奏部分出力
ｂ  手本部分出力
【図１】
2006259650.tif 000003
【図２】
2006259650.tif 000004
【図３】
2006259650.tif 000005
【図４】
2006259650.tif 000006